(57)【特許請求の範囲】
【請求項１】
中央にコイル巻胴部を有すると共に、フランジ部に端子取付部を有した樹脂製のボビンと、この樹脂製のボビンのコイル巻胴部に巻き回すと共に、両端末を該ボビンの端子取付部に取り付けられた一対のコイル用端子にそれぞれ接続したコイルと、前記一対のコイル用端子に一対のリード部をそれぞれ接続したサージ吸収素子とを備えた電磁継電器において、
前記樹脂製のボビンのフランジ部上に前記端子取付部の取付壁を起立して設け、この取付壁の左右両側に前記一対のコイル用端子を保持する端子保持部をそれぞれ設けると共に、該取付壁の中央に中間端子を保持する中間端子保持部を設け、この左右両側の端子保持部に前記一対のコイル用端子をそれぞれ保持すると共に、前記中間端子保持部に前記中間端子を保持する一方、前記一対のコイル用端子と前記中間端子との間に一対のサージ吸収素子を配置したことを特徴とする電磁継電器。
【請求項２】
請求項１記載の電磁継電器であって、
前記一対のコイル用端子に圧接部をそれぞれ設けると共に、前記中間端子の両側に圧接部をそれぞれ設け、この一対のコイル用端子の各圧接部に一対のサージ吸収素子の各一対のリード部の一方のリード部をそれぞれ圧接すると共に、他方のリード部を前記中間端子の各圧接部にそれぞれ圧接して該一対のコイル用端子と中間端子間に前記一対のサージ吸収素子を配置自在にしたことを特徴とする電磁継電器。
【請求項３】
請求項２記載の電磁継電器であって、
前記端子取付部の取付壁の左右両側の上部と中途部に前記端子保持部をそれぞれ突設し、この各上下一対の端子保持部の中央に上下に延びる凹部をそれぞれ形成し、この各上下一対の端子保持部の各凹部に前記一対のコイル用端子をそれぞれ嵌合すると共に、該各上下一対の端子保持部間に前記一対のコイル用端子の各圧接部をそれぞれ位置させ、かつ前記端子取付部の取付壁の中央の下部に前記中間端子保持部を突設したことを特徴とする電磁継電器。
【請求項４】
請求項１ないし３記載の電磁継電器であって、
前記端子取付部の取付壁を前記ボビンのフランジ部の外縁と中央のコイル巻胴部との間の位置に一体突出形成し、前記一対のコイル用端子と前記中間端子間に配置される前記一対のサージ吸収素子を前記取付壁の前方に位置させたことを特徴とする電磁継電器。
【発明の詳細な説明】
【技術分野】
【０００１】
本発明は、コイルへの通電のオン・オフによって該コイルに発生するサージ電圧を吸収するためのダイオード、抵抗、サージアブソーバ等のサージ吸収素子を備えたプランジャ式の電磁継電器に関する。
【背景技術】
【０００２】
この種の電磁継電器として、図１３に示すものがある（例えば、特許文献１参照。）。
【０００３】
この電磁継電器は、図１３に示すように、中央のコイル巻胴部１ａにコイル２を巻き回した樹脂製のボビン１を有している。このボビン１の上フランジ部１ｂの両側には一対の端子取付片３，３を突設してあると共に、その中間の位置には素子収容箱４を突設してある。この一対の端子取付片３，３にはコイル２の両端末にそれぞれ接続されたコイル用端子５を取り付けてある。
【０００４】
そして、ボビン１の素子収容箱４内にはコイル２に発生するサージ電圧を吸収するサージ吸収素子６を収容すると共に、該サージ吸収素子６の一対のリード部７，７を一対のコイル用端子５，５にそれぞれ接続している。
【０００５】
【特許文献１】実開昭６４−２０６４９号公報
【発明の開示】
【発明が解決しようとする課題】
【０００６】
しかしながら、前記従来の電磁継電器では、ボビン１の上フランジ部１ｂの外縁にコイル用端子５を取り付ける一対の端子取付片３，３及びサージ吸収素子６を収容する素子収容箱４がそれぞれ外側に大きく飛び出すように突設しているため、その分電器本体が大型になり、また、一対のコイル用端子５，５及びサージ吸収素子６の配置や配線等の組付作業性が悪かった。
【０００７】
そこで、本発明は、前記した課題を解決すべくなされたものであり、一対のコイル用端子及びサージ吸収素子を簡単かつ確実に配置して組み付けることができる小型の電磁継電器を提供することを目的とする。
【課題を解決するための手段】
【０００８】
請求項１の発明は、中央にコイル巻胴部を有すると共に、フランジ部に端子取付部を有した樹脂製のボビンと、この樹脂製のボビンのコイル巻胴部に巻き回すと共に、両端末を該ボビンの端子取付部に取り付けられた一対のコイル用端子にそれぞれ接続したコイルと、前記一対のコイル用端子に一対のリード部をそれぞれ接続したサージ吸収素子とを備えた電磁継電器において、前記樹脂製のボビンのフランジ部上に前記端子取付部の取付壁を起立して設け、この取付壁の左右両側に前記一対のコイル用端子を保持する端子保持部をそれぞれ設けると共に、該取付壁の中央に中間端子を保持する中間端子保持部を設け、この左右両側の端子保持部に前記一対のコイル用端子をそれぞれ保持すると共に、前記中間端子保持部に前記中間端子を保持する一方、前記一対のコイル用端子と前記中間端子との間に一対のサージ吸収素子を配置したことを特徴とする。
【０００９】
請求項２の発明は、請求項１記載の電磁継電器であって、前記一対のコイル用端子に圧接部をそれぞれ設けると共に、前記中間端子の両側に圧接部をそれぞれ設け、この一対のコイル用端子の各圧接部に一対のサージ吸収素子の各一対のリード部の一方のリード部をそれぞれ圧接すると共に、他方のリード部を前記中間端子の各圧接部にそれぞれ圧接して該一対のコイル用端子と中間端子間に前記一対のサージ吸収素子を配置自在にしたことを特徴とする。
【００１０】
請求項３の発明は、請求項２記載の電磁継電器であって、前記端子取付部の取付壁の左右両側の上部と中途部に前記端子保持部をそれぞれ突設し、この各上下一対の端子保持部の中央に上下に延びる嵌合凹部をそれぞれ形成し、この各上下一対の端子保持部の各嵌合凹部に前記一対のコイル用端子をそれぞれ嵌合すると共に、該各上下一対の端子保持部間に前記一対のコイル用端子の各圧接部をそれぞれ位置させ、かつ前記端子取付部の取付壁の中央の下部に前記中間端子保持部を突設したことを特徴とする。
【００１１】
請求項４の発明は、請求項１ないし３記載の電磁継電器であって、前記端子取付部の取付壁を前記ボビンのフランジ部の外縁と中央のコイル巻胴部との間の位置に一体突出形成し、前記一対のコイル用端子と前記中間端子間に配置される前記一対のサージ吸収素子を前記取付壁のボビンに対して径方向外側に位置させたことを特徴とする。
【発明の効果】
【００１２】
以上説明したように、請求項１の発明によれば、樹脂製のボビンのフランジ部上に端子取付部の取付壁を起立して設け、この取付壁の左右両側に一対のコイル用端子を保持する端子保持部をそれぞれ設けると共に、該取付壁の中央に中間端子を保持する中間端子保持部を設け、この左右両側の端子保持部に一対のコイル用端子をそれぞれ保持すると共に、中間端子保持部に中間端子を保持する一方、一対のコイル用端子と中間端子との間に一対のサージ吸収素子を配置したことにより、サージ吸収素子の設置スペースの省スペース化を図ることができる。これにより、電磁継電器全体の構成の簡素化及び小型化を図ることができる。
【００１３】
請求項２の発明によれば、端子取付部の取付壁の左右両側の端子保持部に保持される一対のコイル用端子の各圧接部に一対のサージ吸収素子の各一対のリード部の一方のリード部をそれぞれ圧接すると共に、他方のリード部を取付壁の中央に保持される中間端子の両側の各圧接部にそれぞれ圧接して、一対のコイル用端子と中間端子間に一対のサージ吸収素子を配置自在にしたことにより、一対のコイル用端子の組み付け及び一対のコイル用端子と一対のサージ吸収素子の各一対のリード部との接続を簡単に行うことができると共に、サージ吸収素子の設置スペースの省スペース化を図ることができる。これにより、電磁継電器全体の構成の簡素化及び小型化を図ることができる。
【００１４】
請求項３の発明によれば、端子取付部の取付壁の左右両側の上部と中途部に端子保持部をそれぞれ突設し、この各上下一対の端子保持部の中央に上下に延びる嵌合凹部をそれぞれ形成し、この各上下一対の端子保持部の各嵌合凹部に一対のコイル用端子をそれぞれ嵌合すると共に、該各上下一対の端子保持部間に一対のコイル用端子の各圧接部をそれぞれ位置させ、かつ端子取付部の取付壁の中央の下部に中間端子保持部を突設したことにより、端子取付部の各上下一対の端子保持部及び中央の下部の中間端子保持部より一対のサージ吸収素子が飛び出さずに配置することができる。これにより、例えば、ボビンをカバーで覆う際に、該カバーが一対のサージ吸収素子等の部品に当たることを確実に防止することができる。
【００１５】
請求項４の発明によれば、端子取付部の取付壁をボビンのフランジ部の外縁と中央のコイル巻胴部との間の位置に一体突出形成し、一対のコイル用端子と中間端子間に配置される一対のサージ吸収素子を取付壁の前方に位置させたことにより、一対のサージ吸収素子の背後に端子取付部の取付壁が位置することになり、ボビンの中央のコイル巻胴部内に組み付けられるプランジャ等の部品がその組み付けの際にサージ吸収素子等に当たることがなく、部品を簡単かつ確実に組み付けることができる。
【発明を実施するための最良の形態】
【００１６】
以下、本発明の一実施形態を図面に基づいて説明する。
【００１７】
図１は本発明の一実施形態の電磁継電器を示す断面図、図２は同電磁継電器の斜視図、図３は同電磁継電器の要部の断面図、図４は同電磁継電器に用いられる電磁リレーユニットの正面図、図５は同電磁リレーユニットの側面図、図６は同電磁リレーユニットに用いられるボビン上に突設された端子取付部の斜視図、図７は同端子取付部を裏側から見た斜視図、図８は同電磁継電器に用いられるカバーの斜視図、図９は同カバーにコンタクトボルトを固定する前の状態を示す斜視図、図１０は同コンタクトボルトを固定したカバーを裏側から見た斜視図、図１１は同カバーにコンタクトボルトを加締め固定するワッシャの断面図、図１２（ａ）は同電磁リレーユニットに用いられる中間端子の平面図、図１２（ｂ）は同図１２（ａ）中Ｘ−Ｘ線に沿う断面図である。
【００１８】
図１〜図３に示すように、電磁継電器１０は、基台プレート１１と、この基台プレート１１の中央の突出部１１ａに環状の緩衝ゴム体１２を介してネジ１３で締結固定された電磁リレーユニット２０と、この電磁リレーユニット２０の上面側を覆う天井壁４１を有した円筒状で合成樹脂製のカバー４０とを備えている。
【００１９】
図１，図３〜図７に示すように、電磁リレーユニット２０は、上下のフランジ部２１ａ，２１ｂの中央に円筒状のコイル巻胴部２１ｃを一体形成すると共に、上フランジ部２１ａに端子取付部２２を一体形成した合成樹脂製のボビン２１と、このボビン２１のコイル巻胴部２１ｃに巻き回されると共に、両端末２７ａ，２７ａを該ボビン２１の端子取付部２２に取り付けられた一対のコイル給電用端子（コイル用端子）２５，２５の各電線接続部２５ａにフュージングによりそれぞれ接続したコイル（電磁コイル）２７と、ボビン２１のコイル巻胴部２１ｃ内の下部から下フランジ部２１ｂ及び外側に沿うように折り曲げられてカバー４０の周壁４２の下端部４２ａに加締め固定されるケースを兼ねた円筒状のヨーク２８と、ボビン２１のコイル巻胴部２１ｃ内の上部から上フランジ部２１ａに掛け渡されてヨーク２８とで磁路を形成する矩形板状のフランジ受板２９と、ボビン２１の円筒状のコイル巻胴部２１ｃ内に戻り圧縮スプリング（リターンスプリング）３２を介して出没自在に配置されたプランジャ３０と、このプランジャ３０の凹部３０ｂ内に嵌合されたプランジャロッド３１に沿って上下方向にブッシュ３４を介して摺動すると共に、両側に可動接点３５，３５を固着した可動板３６とで構成されている。この可動板３６はブッシュ３４に固定されている。
【００２０】
図１，図３に示すように、プランジャ３０の上面３０ａの中央には円形で段差状の凹部３０ｂを形成してあり、この凹部３０ｂ内の下部にプランジャロッド３１の下端部３１ａを嵌合してある。また、プランジャ３０の凹部３０ｂ内の上部とフランジ受板２９との間には戻り圧縮スプリング３２を介在してあると共に、プランジャロッド３１の中央のフランジ部３１ｂと該プランジャロッド３１の上端部３１ｃにワッシャ３７を介して抜け止めされたブッシュ３４との間には戻り圧縮スプリング（リターンスプリング）３３を介在してある。これら各戻り圧縮スプリング３２，３３の付勢力により、コイル２７に励磁電流が通電されないときは、可動板３６の一対の可動接点３５，３５と後述する一対のコンタクトボルト４５，４５の下面に固着された各固定接点４７は離反しており、コイル２７に励磁電流が通電されたときは、プランジャ３０の上面３０ａがフランジ受板２９に吸着されて該プランジャ３０及びプランジャロッド３１が上方へ移動し、一対の可動接点３５，３５が一対の固定接点４７，４７に接触するようになっている。
【００２１】
図３〜図７に示すように、ボビン２１の上フランジ部２１ａ上の該上フランジ部２１ａの外縁と中央のコイル巻胴部２１ｃとの間の位置には、端子取付部２２の取付壁２２ａを垂直に起立するように一体突出形成してある。この取付壁２２ａの左右両側の上部と中途部には一対のコイル給電用端子２５，２５を保持する端子保持部２３，２３を前方に突出するように一体形成してある。この各上下一対の端子保持部２３，２３の中央には上下に延びる嵌合凹部２３ａをそれぞれ形成してある。
【００２２】
この端子取付部２２に取り付けられる一対のコイル給電用端子２５，２５は、図４に示すように、丸孔２５ｃが形成された取付壁２２ａに平行な部分Ｘと電線接続部２５ａが形成された取付壁２２ａに垂直な部分Ｙと、それらをつなぐ折り曲げ部分Ｚとからなる。この上下一対の端子保持部２３，２３の嵌合凹部２３ａには、一対のコイル給電用端子２５，２５の折り曲げ部分Ｚと取付壁２２ａに対し垂直な部分Ｙが嵌合されている。この際、嵌合としてガタを防止するために圧入としても良い。そして、各コイル給電用端子２５は、図５に示すように、取付壁２２ａの背後に突き出した部分Ｗを開いて加締め固定することで、保持固定されるようになっている。
【００２３】
また、図４〜図６に示すように、取付壁２２ａの中央の下部には、矩形板状の中間端子２６を保持する中間端子保持部２４を一体突出形成してある。さらに、一対のコイル給電用端子２５，２５の各上下一対の端子保持部２３，２３間にはスリット溝状の圧接部２５ｂ，２５ｂがそれぞれ位置するように形成されている。さらに、図１２（ａ）に示すように、中間端子２６の前両側にはスリット溝状の圧接部２６ａをそれぞれ形成してある。尚、図４及び図１２（ａ），（ｂ）に示すように、中間端子２６の凸部２６ｃを有した鉤形の基部２６ｂが取付壁２２ａの中間端子保持部２４の上に形成された矩形の係止孔２４ａに圧入されて係止されることにより、該中間端子２６は中間端子保持部２４上に抜け止めされて取り付けられるようになっている。
【００２４】
そして、一対のコイル給電用端子２５，２５の各圧接部２５ｂに抵抗（サージ吸収素子）３８の一対のリード部３８ａ，３８ｂのうちの一方のリード部３８ａとダイオード（サージ吸収素子）３９の一対のリード部３９ａ，３９ｂのうちの一方のリード部３９ａをそれぞれ圧接により接続すると共に、各他方のリード部３８ｂ，３９ｂを中間端子２６の各圧接部２６ａ，２６ａにそれぞれ圧接して直列に接続するようになっている。これらにより、端子取付部２２の取付壁２２ａの前方に位置する一対のコイル給電用端子２５，２５と中間端子２６間に一対のサージ吸収素子としての抵抗３８及びダイオード３９がそれぞれ配置されるようになっている。この一対のサージ吸収素子３８，３９と一対のコイル給電用端子２５，２５ならびに中間端子２６との接続は、ハンダ付けや溶接による接続を用いても可能である。
【００２５】
このことにより、一対のサージ吸収素子３８，３９は、取付壁２２ａから突き出した嵌合凹部２３ａ、２３ａと取付壁２２ａから垂直に起立した一対のコイル給電用端子２５，２５と中間端子２６とで形成される空間に配置されるようになっている。また、スリット溝状の各圧接部２５ｂに各サージ吸収素子３８，３９のリード部３８ａ，３９ａを接続することで、各サージ吸収素子３８，３９は取付壁２２ａに近接して配置されるようになっている。
【００２６】
図１〜図３，図８〜図１０に示すように、ボビン２１を内蔵した電磁リレーユニット２０の上面側を覆うカバー４０の天井壁４１の中央から周壁４２にかけて仕切壁４３を一体突出形成してある。この天井壁４１の仕切壁４３を挟んだ両側にはボルト貫通孔４４，４４をそれぞれ形成してあり、この一対のボルト貫通孔４４，４４内には一対のコンタクトボルト４５，４５を貫通してある。この各コンタクトボルト４５は銅材により円柱状に形成してあり、その中央に六角形（角形）のフランジ部４５ａを一体突出形成してある。さらに、各コンタクトボルト４５のフランジ部４５ａ上には相手側端子５０が当接すると共に、該フランジ部４５ａより上側に形成されたネジ部４５ｂに相手側端子５０を固定するナット５１が螺着されるようになっている。
【００２７】
また、各コンタクトボルト４５の六角形のフランジ部４５ａは、カバー４０の各ボルト貫通孔４４の上部に形成された六角穴状（角形穴状）の凹部４４ａに嵌合されると共に、該各ボルト貫通孔４４よりカバー４０の天井壁４１の内側に突出した各コンタクトボルト４５の下部４５ｃをワッシャ４６により加締め固定してある。図１１に示すように、ワッシャ４６は円錐環状に形成してあり、各コンタクトボルト４５のカバー４０より内側に嵌めて平らに潰すことで該各コンタクトボルト４５に食い込ませて固定するものである。さらに、各コンタクトボルト４５の下面には、各可動接点３５が当接・離反する固定接点４７を固着してある。
【００２８】
さらに、カバー４０の周壁４２の下端部４２ａとヨーク２８との間にはゴム製で円環板状のパッキン６０を介在してある。そして、各コイル給電用端子２５の上片部の丸孔２５ｃはカバー４０の天井壁４１に貫通して外側に露出していると共に、該丸孔２５ｃの背面に対向するカバー４０の天井壁４１には六角形のナット６１を嵌め込んである。さらに、各コイル給電用端子２５の上片部とカバー４０の天井壁４１とはゴム製のグロメット６２によりシールされている。
【００２９】
以上実施形態の電磁継電器１０によれば、図１に示すように、ボビン２１のコイル２７に励磁電流が通電されない場合には、可動板３６の一対の可動接点３５，３５と一対のコンタクトボルト４５，４５の各固定接点４７は離反している。また、ボビン２１のコイル２７に励磁電流が通電され、コイル２７が励磁されると、プランジャ３０ａがフランジ受板２９に吸着されて該プランジャ３０及びプランジャロッド３１が上方へ移動して、可動板２６の一対の可動接点３５，３５が一対のコンタクトボルト４５，４５の各固定接点４７，４７に接触する。
【００３０】
この電磁継電器１０では、図４〜図６に示すように、ボビン２１の端子取付部２２の左右上下各一対の端子保持部２３，２３に保持される一対のコイル給電用端子２５，２５の各圧接部２５ｂに抵抗３８の一方のリード部３８ａとダイオード３９の一方のリード部３９ａをそれぞれ圧接すると共に、各他方のリード部３８ｂ，３９ｂを取付壁２２ａの中央の下部の中間端子保持部２４に保持された中間端子２６の前両側の各圧接部２６ａ，２６ａにそれぞれ圧接して、一対のコイル給電用端子２５，２５と中間端子２６間に抵抗３８及びダイオード３９をそれぞれ配置自在にしたことにより、一対のコイル給電用端子２５，２５の組み付け、及び、一対のコイル給電用端子２５，２５及び中間端子２６と抵抗３８の一対のリード部３８ａ，３８ｂ及びダイオード３９の一対のリード部３９ａ，３９ｂとの接続を簡単に行うことができると共に、抵抗３８及びダイオード３９の設置スペースの省スペース化を図ることができる。これにより、電磁継電器１０全体の構成の簡素化及び小型化を図ることができる。
【００３１】
また、ボビン２１の端子取付部２２の左右上下各一対の端子保持部２３，２３の中央に上下に延びる圧入凹部２３ａをそれぞれ形成し、この左右上下各一対の端子保持部２３，２３の各圧入凹部２３ａに一対のコイル給電用端子２５，２５をそれぞれ圧入すると共に、該左右上下各一対の端子保持部２３，２３間に一対のコイル給電用端子２５，２５の各圧接部２５ｂをそれぞれ位置させ、かつ、端子取付部２２の取付壁２２ａの中央の下部に中間端子保持部２４を一体突出形成したことにより、端子取付部２２の左右上下各一対の端子保持部２３，２３及び中間端子保持部２４より抵抗３８及びダイオード３９が飛び出さずにそれぞれ配置することができる。これにより、ボビン２１の上フランジ部２１ａ側を円筒状のカバー４０で覆う際に、該カバー４０が抵抗３８やダイオード３９等の部品に当たることを確実に防止することができる。
【００３２】
また、ボビン２１の端子取付部２２の取付壁２２ａを該ボビン２１の上フランジ部２１ａの外縁と中央のコイル巻胴部２１ｃとの間の位置に一体突出形成し、一対のコイル給電用端子２５，２５と中間端子２６間に配置される抵抗３８及びダイオード３９を取付壁２２ａの前方に位置させたことにより、抵抗３８及びダイオード３９の背後に端子取付部２２の取付壁２２ａが位置することになり、ボビン２１の中央のコイル巻胴部２１ｃ内に組み付けられるプランジャ３０やプランジャロッド３１等の部品がその組み付けの際に抵抗３８やダイオード３９等に当たることがなく、部品を簡単かつ確実に組み付けることができる。
【００３３】
尚、前記実施形態によれば、一対のサージ吸収素子として抵抗及びダイオードを用いた場合について説明したが、一対のサージ吸収素子として一対の抵抗、或いは、一対のダイオード等を用いて様々なバリエーションに対応できるようにしても良い。
【図面の簡単な説明】
【００３４】
【図１】本発明の一実施形態の電磁継電器を示す断面図である。
【図２】上記電磁継電器の斜視図である。
【図３】上記電磁継電器の要部の断面図である。
【図４】上記電磁継電器に用いられる電磁リレーユニットの正面図である。
【図５】上記電磁リレーユニットの側面図である。
【図６】上記電磁リレーユニットに用いられるボビン上に突設された端子取付部の斜視図である。
【図７】上記端子取付部を裏側から見た斜視図である。
【図８】上記電磁継電器に用いられるカバーの斜視図である。
【図９】上記カバーにコンタクトボルトを固定する前の状態を示す斜視図である。
【図１０】上記コンタクトボルトを固定したカバーを裏側から見た斜視図である。
【図１１】上記カバーにコンタクトボルトを加締め固定するワッシャの断面図である。
【図１２】（ａ）は上記電磁リレーユニットに用いられる中間端子の平面図、（ｂ）は同図（ａ）中Ｘ−Ｘ線に沿う断面図である。
【図１３】従来の電磁継電器の斜視図である。
【符号の説明】
【００３５】
１０  電磁継電器
２１  ボビン
２１ａ  上フランジ部（フランジ部）
２１ｃ  コイル巻胴部
２２  端子取付部
２２ａ  取付壁
２３，２３  上下一対の端子保持部
２３ａ  圧入凹部
２４  中間端子保持部
２５，２５  一対のコイル給電用端子（コイル用端子）
２５ｂ  圧接部
２６  中間端子
２６ａ，２６ａ  一対の圧接部
２７  コイル
２７ａ，２７ａ  両端末
３８  抵抗（サージ吸収素子）
３８ａ，３８ｂ  一対のリード部
３９  ダイオード（サージ吸収素子）
３９ａ，３９ｂ  一対のリード部
【図１】
0004772521.tif 000002
【図２】
0004772521.tif 000003
【図３】
0004772521.tif 000004
【図４】
0004772521.tif 000005
【図５】
0004772521.tif 000006
【図６】
0004772521.tif 000007
【図７】
0004772521.tif 000008
【図８】
0004772521.tif 000009
【図９】
0004772521.tif 000010
【図１０】
0004772521.tif 000011
【図１１】
0004772521.tif 000012
【図１２】
0004772521.tif 000013
【図１３】
0004772521.tif 000014